(57)【特許請求の範囲】
【請求項１】
少なくとも一つの側面が透明部材で形成された角筒状のケースと、ケースの透明部材で形成された一側面に配置される１又は複数のインジケータ意匠が施されてなる表示板と、インジケータ意匠に対応する１又は複数の光源と該光源を点滅する電気回路とを有して前記ケース内に設置された配線基板と、該配線基板を挿入可能に前記ケースの一方の筒端に設けられた開口部と、前記光源の少なくとも1つの光源の外周側面の少なくとも一部を囲んで配線基板面に固着されたスポンジ製の遮光壁とを備えてなる表示装置。
【請求項２】
請求項1に記載の表示装置において、
前記スポンジ製の遮光壁は、囲み対象の前記光源に対応する前記インジケータ意匠の表示領域に合わせて少なくとも上端側が開口され、前記光源の高さよりも高く形成されていることを特徴とする表示装置。
【請求項３】
請求項１又は２に記載の表示装置において、
さらに、前記配線基板に接続された外部引出電線を保持する保持部材を前記ケースの前記開口部に設けることを特徴とする表示装置。
【請求項４】
請求項1乃至３のいずれか１項に記載の表示装置において、
前記ケースは、前記ケースの前記開口部の反対側の筒端を塞いで、全体が透明部材で形成され、
前記スポンジ製の遮光壁は、前記ケースの閉塞端に近い前記光源の外周側面の少なくとも閉塞端側を含む３方を囲んで形成されていることを特徴とする表示装置。
【発明の詳細な説明】
【技術分野】
【０００１】
本発明は、表示装置に係り、具体的には、計器、文字、記号等のインジケータ意匠が施された表示板に背面側から照明する光源を備えた表示装置に関する。
【背景技術】
【０００２】
自動車のプロントパネルに設けられるスピードメータなどの計器、文字及び／又は記号等による各種の情報表示は、それらの情報表示のインジケータ意匠が施された表示板を背面側から照明して視認性を向上させた表示装置が用いられている。例えば、特許文献１に記載された表示装置は、透光性を有するインジケータ意匠が施された表示板の背面側に、間隔をおいて複数のＬＥＤを光源として搭載してなる配線基板を配置して構成されている。そして、特定のＬＥＤを点灯したときに、対応するインジケータ意匠にのみ光があたり、他のインジケータ意匠の領域には光が漏れないように、光源から表示板との間に適宜、末広がりの筒状の遮光性を有するライトケースにより空間を仕切るようにしている。
【先行技術文献】
【特許文献】
【０００３】
【特許文献１】特開２０１０−１２２０６２号公報
【発明の概要】
【発明が解決しようとする課題】
【０００４】
しかし、特許文献１に記載された表示装置は、樹脂製のライトケースの小径開口部にＬＥＤを位置させて配線基板で小径開口部を塞ぎ、大径開口部をインジケータ意匠が施された表示板で塞いで形成していることから、組立て時に樹脂製のライトケースがＬＥＤに触れるとＬＥＤを損傷させるおそれがある。また、ＬＥＤは表示板とライトケースと配線基板とによって閉ざされた空間に配置されており、表示装置を自動車のフロントパネルに取り付けた姿勢ではライトケースの小径開口部が下向きになるから、ライトケース内で結露すると水滴がＬＥＤに付着するおそれがある。さらに、ライトケースを成形するために金型を起工する必要があるから、表示装置の製作費用が高くなる。
【０００５】
本発明が解決しようとする課題は、組立て時に遮光壁が光源に触れて損傷させるおそれがなく、遮光壁内での結露水が光源に付着するおそれがなく、遮光壁の製作費用を低減することにある。
【課題を解決するための手段】
【０００６】
上記の課題を解決するため、本発明は、少なくとも一つの側面が透明部材で形成された角筒状のケースと、前記ケースの透明部材で形成された一側面に配置される１又は複数のインジケータ意匠が施されてなる表示板と、前記インジケータ意匠に対応する１又は複数の光源と該光源を点滅する電気回路とを有し前記ケースの筒端開口から挿入されて前記ケース内に収容される配線基板と、前記光源の少なくとも1つの光源の外周側面の少なくとも一部を囲んで前記配線基板面に固着されたスポンジ製の遮光壁とを備えてなることを特徴とする。
【０００７】
本発明によれば、遮光壁をスポンジで形成したことから、組立て時に遮光壁がＬＥＤ等の光源に触れても、光源よりもスポンジの方が軟らかいので光源を損傷させるおそれがない。また、光源はケースと配線基板により閉ざされた空間に配置されるが、その空間内の湿気を遮光壁のスポンジが吸収するので、結露水が光源に付着して光源を損傷するおそれがない。さらに、スポンジ製の遮光壁は、金型を起工する必要がないから、遮光壁の製作費用を低減することができる。
【０００８】
本発明において、スポンジ製の遮光壁は、囲み対象の光源に対応するインジケータ意匠の表示領域に合わせて少なくとも上端側が開口され、光源の高さよりも高い壁に形成することが好ましい。また、配線基板に接続された外部引出電線を保持する保持部材をケースの開口部に装着することができる。この場合、保持部材を気密にケースに装着することが好ましい。これによれば、ケース内に湿気が侵入するのを抑制できる。
【０００９】
また、ケースは、ケースの開口部の反対側の筒端を塞いで、全体が透明部材で形成され、スポンジ製の遮光壁は、ケースの閉塞端に近い光源の外周側面の少なくとも閉塞端側を含む３方を囲んで形成することができる。これによれば、ケースの閉塞端から光が漏れるのを防ぐことができる。
【発明の効果】
【００１０】
本発明によれば、組立て時に遮光壁が光源に触れて損傷させるおそれがなく、遮光壁内での結露水が光源に付着するおそれがなく、遮光壁の製作費用を低減することができる。
【図面の簡単な説明】
【００１１】
【図１】本発明の表示装置の一実施形態の断面図である。
【図２】図１の実施形態の一部を破断して示した斜視外観図である。
【図３】図１のＬＥＤの照射状態を説明する図である。
【図４】ＬＥＤが搭載された配線基板をケースに挿入して組立てる状態を説明する図である。
【発明を実施するための形態】
【００１２】
以下、本発明の表示装置を実施形態に基づいて説明する。図１に本発明の表示装置の一実施形態の断面図を示し、図２に本実施形態の一部を破断した斜視外観図を示す。なお、図１は、図２の矢印Ｉ−Ｉの位置における断面図である。本実施形態は、自動車のプロントパネルに装着される計器パネルに用いられる表示装置として説明する。しかし、本発明は、本実施形態に限られるものではなく、メータなどの計器、文字及び／又は記号等による各種の情報表示のインジケータ意匠が施された表示板を背面側から照明して視認性を向上させた表示装置に適用できる。
【００１３】
図１、図２に示すように、本実施形態の表示装置は、透明部材で形成された角筒状のケース１と、ケース１の一側面である図において上面に配置されインジケータ意匠が施されてなる表示板２と、インジケータ意匠を背面から照らす複数の光源であるＬＥＤ３、４、５が搭載されてなる配線基板６を備えて構成されている。配線基板６には、ＬＥＤ３、４、５を点滅する電気回路が形成されている。なお、図２では、図の煩雑さを避けるため、表示板２及び後述する外部引出電線や保持部材等の記載を省略している。
【００１４】
ケース１は、本実施形態では、全体が透明樹脂等の透明部材で形成されている例を示したが、これに限られるものではなく、表示板２の背面側に位置される少なくとも一つの側面が透明部材で形成されていればよい。角筒状のケース１の一方の筒端７は開口された開口部８とされ、他方の筒端９はケース１と同一の透明部材で一体に閉塞されている。また、表示板２には、用途に応じて１又は複数のインジケータ意匠が施され、これに合わせて１又は複数の光源であるＬＥＤが対応して設けられることは言うまでもない。
【００１５】
配線基板６は、ケース１の筒端７の開口から挿入されてケース１内に収容され、図示していない支持部材によってケース１の内部に保持されるようになっている。配線基板６の電気回路には複数の外部引出電線１０が接続され、図示していない外部の電源等に接続されるようになっている。外部引出電線１０は、ケース１の開口部８に装着された保持部材１１に形成された貫通穴１２から外部に引き出されている。なお、外部引出電線１０は貫通穴１２に装着されたゴム栓１３によりシールされている。保持部材１１は、樹脂等により直方体状に形成され、外周にパッキン１４が装着されている。これにより、保持部材１１は、ケース１の開口部８の内周面に気密に装着され、ケース１内に湿気が侵入するのを抑制できる。
【００１６】
また、筒端７の開口部８の上部の開口は、カバー１５によって覆われている。カバー１５は、図２に示すように、ケース１の側面に沿って折り曲げられた両端の穴１８を、ケース１の側面に突出された円柱状の突起１７に被着して固定されている。これにより、保持部材１１の貫通穴１２から引き出された外部引出電線１０は、鉤型に曲げられてカバー１５の下方の開口から外部に引き出される、いわゆるストレインリリーフ構造が形成される。したがって、外部引出電線１０にケース１から抜き出す方向の外力が作用しても、外部引出電線１０の曲折部がカバー１５に当接して抜け出るのを拘束するから、基板６と外部引出電線１０の接続部に外力が作用して破断するのを防止できる。また、保持部材１１の下端部には、開口部８のカバー１５の下方の開口に向けて突出する部材１６が設けられている。部材１６は、保持部材１１をケース１の開口部８に挿入する際に指先でつまんで、保持部材１１の姿勢を調整し易くするために設けた部分である。また、部材１６は、カバー１５と協働して、外部引出電線１０を折り曲げて、いわゆるストレインリリーフ構造を形成する。
【００１７】
次に、本実施形態の特徴である遮光壁２０について説明する。遮光壁２０は、スポンジにより形成されて、配線基板６の載置面に接着材などにより固着して設けられる。本実施形態の遮光壁２０は、ＬＥＤ３の外周側面のうち、ケース１の筒端９側と、ケース１の両側面側の照射される光を遮るように、ＬＥＤ３を囲んでＵ字状に形成されている。遮光壁２０のＬＥＤ４側の壁面は開口され、また遮光壁２０の上端は開口されている。また、ＬＥＤ３の高さよりも高い壁に形成されている。これにより、図３に示すように、表示板２の対応するインジケータ意匠が施された領域にはＬＥＤ３から光２１が照射され、ケース１の筒端９側に至る光２２は遮光壁２０で遮られる。その結果、ケース１の筒端９側から外部に漏れ出る光による不都合を防止することができる。なお、スポンジは内部に細かな孔が無数に空いた多孔質の柔らかい物質であれば素材は問わないが、液体を吸い取る特性を有するポリウレタン等の合成樹脂を発泡成形して作られる合成スポンジを適用できる。
【００１８】
本実施形態において、ＬＥＤ３の外周側面の一部を囲んで遮光壁２０を設ける例を示したが、本発明はこれに限らず、ＬＥＤ３の外周側面の全部を囲んで設けてもよい。また、必要に応じて、他のＬＥＤ４、５を取り囲んで遮光壁を設けてもよい。つまり、スポンジ製の遮光壁２０は、囲み対象のＬＥＤに対応するインジケータ意匠の表示領域に合わせて少なくとも上端側が開口され、ＬＥＤの高さよりも高い壁に形成する。さらに、本実施形態では、遮光壁２０の壁を配線基板６に対して鉛直に形成したが、これに限らず、表示板２側に向かうにつれて拡開する筒状又は半筒状に形成することができる。
【００１９】
本実施形態によれば、遮光壁２０をスポンジで形成したことから、図４に示すように、組立て時に配線基板６の全体をケース１の開口部８から内部の挿入する際、遮光壁２０がケース１の内面に当たっても変形して衝撃を吸収するから、配線基板６の部品の損傷を防止できる。また、遮光壁２０が変形してＬＥＤ３に触れても、ＬＥＤ３よりもスポンジの方が軟らかいのでＬＥＤ３を損傷させるおそれがない。また、ＬＥＤ３はケース１と配線基板６により閉ざされた空間に配置されるが、その空間内の湿気を遮光壁２０のスポンジが吸収するので、結露水がＬＥＤ３，４，５に付着して損傷するおそれがない。さらに、スポンジ製の遮光壁２０は、金型を起工する必要がないから、遮光壁２０の製作費用を低減することができる。
【符号の説明】
【００２０】
１  ケース
２  表示板
３、４、５  ＬＥＤ
６  配線基板
８  開口部
１０  外部引出電線
１１  保持部材
１３  ゴム栓
１４  パッキン
１５  カバー
２０  遮光壁
【図１】
0005981183.tif 000002
【図２】
0005981183.tif 000003
【図３】
0005981183.tif 000004
【図４】
0005981183.tif 000005